(57)【要約】【課題】掛止めレバーを２回に分けて回転操作しなければウィング体を解錠できないスナッチロック装置を提供する。【解決手段】ケースの先端部分にロック板と掛止めレバーが受溝の各側に枢着され、ケースの基端部分にストッパーカムが枢着される。１回目の掛止めレバー操作終了時、受金具がロック板の錠止用凹部に係合した状態でケースの受溝内を先端開口に向けて移動しているとともに、ロック板の留止突起が掛止めレバーの係止突起と制止突起間の谷部に係合し、掛止めレバーの停止突起がストッパーカムのカム突起の基端側辺に当接し、２回目の掛止めレバー操作終了時、受金具がロック板の受動突子に押されて錠止用凹部から脱出しているとともに、留止突起が係止突起よりも先端側に偏位した位置において掛止めレバーの側面部に当接し、停止突起がカム突起の基端側辺に当接する。【選択図】図３
2006090075.tif 000002
【特許請求の範囲】
【請求項１】
ウィング体と固定フレームの一方に固着され、先端面側に開口した受溝を側壁板の先端部分に形成したケースと；前記受溝の一方の側において前記側壁板の先端部分に第１枢軸によって枢着されたロック板と；前記受溝の他方の側において前記側壁版の先端部分に前記第１枢軸と平行な第２枢軸によって枢着された掛止めレバーと；前記第１枢軸と平行な第３枢軸によって前記側壁版の基端部分に枢着されたストッパーカムと；ウィング体と固定フレームの他方に固着され、ウィング体の閉鎖時にケースの前記受溝に進入する受金具とからなり、
前記第１枢軸の横側方位置において、前記掛止めレバーに対面する前記ロック板の側面部に前記受金具が係脱する錠止用凹部を形成し、前記錠止用凹部の基端側辺に連続して受動突子をロック板の前記側面部に形成し、前記第１枢軸よりも基端側に偏位した位置において、前記受動突子の基端側辺に連続してロック板の前記側面部に留止突起を形成し、前記留止突起の基端側辺に連続して、前記ロック板の前記側面部とは反対側にある側面部に抑止突起を形成し、
前記第２枢軸よりも基端側に偏位した位置において、前記ロック板に対面する前記掛止めレバーの側面部に係止突起を形成し、前記係止突起の基端側辺に連続して掛止めレバーの前記側面部に制止突起を形成し、
前記第３枢軸よりも先端側において、前記掛止めレバーに対面する前記ストッパーカムの側面部に受止突起を形成し、前記受止突起よりも基端側に偏位した位置において、カム突起をストッパーカムの前記側面部に形成し、
解錠状態において前記受動突子が傾斜配置されて前記受溝に重なり合うとともに、前記留止突起が前記係止突起よりも先端側において掛止めレバーの前記側面部に当接するように第１バネによって前記ロック板を回転付勢し、
解錠状態において前記停止突起が前記ストッパーカムの前記カム突起の基端側辺に当接するように前記掛止めレバーを第２バネによって回転付勢し、
解錠状態において前記カム突起の基端側辺が前記掛止めレバーの前記停止突起に当接するように前記ストッパーカムを第３バネによって回転付勢し、
施錠状態において、前記受金具が前記ケースの前記受溝内において前記ロック板の前記錠止用凹部に係合しているとともに、前記ロック板の前記受動突子が前記掛止めレバーの前記係止突起と前記制止突起間の谷部に係合し、前記掛止めレバーの前記停止突起が前記ストッパーカムの前記カム突起の基端側辺に当接し、
前記掛止めレバーを最初に前記第２枢軸の周りに前記ストッパーカムから離反する方向に回して原位置に戻したとき（１回目の掛止めレバー操作終了時）、前記受金具が前記ロック板の前記錠止用凹部に係合した状態で前記ケースの前記受溝内を先端開口に向けて移動しているとともに、前記ロック板の前記留止突起が前記掛止めレバーの前記係止突起と前記制止突起間の谷部に係合し、前記掛止めレバーの前記停止突起が前記ストッパーカムの前記カム突起の基端側辺に当接し、
前記掛止めレバーを次に前記第２枢軸の周りに前記ストッパーカムから離反する方向に回して原位置に戻したとき（２回目の掛止めレバー操作終了時）、前記受金具が前記ロック板の前記受動突子の先端側辺に押されて、前記ロック板の前記錠止用凹部及び前記ケースの前記受溝から脱出しているとともに、前記ロック板の前記留止突起が前記係止突起よりも先端側に偏位した位置において前記掛止めレバーの前記側面部に当接し、前記掛止めレバーの前記停止突起が前記ストッパーカムの前記カム突起の基端側辺に当接するように配置した、二段開放型スナッチロック装置。
【発明の詳細な説明】
【技術分野】
【０００１】
本発明は、トラクターのエンジンフード等のウィング体に使用されるスナッチロック装置に関するものである。
【背景技術】
【０００２】
従来のスナッチロック装置は、ウィング体と固定フレームの一方に固着され、先端面に開口した受溝を側壁板の先端部分に形成したケースと；前記受溝の一方の側において前記側壁板の先端部分に第１枢軸によって枢着されたロック板と；前記受溝の他方に側において前記側壁版の先端部分に前記第１枢軸と平行な第２枢軸によって枢着された掛止めレバーと；前記第１枢軸及び第２枢軸と直角な第３枢軸によってケースの下側壁板に枢着され、前記掛止めレバーの基端受動部を押圧する解除レバーと；ウィング体と固定フレームの他方に固着され、ウィング体の閉鎖時にケースの前記受溝に進入する受金具とからなり、
前記第１枢軸より先端側に偏位した位置において、前記掛止めレバーに対面する前記ロック板の側面部に、前記受金具が係脱する錠止用凹部を形成し、前記錠止用凹部の基端側辺に連続して受動突子をロック板の前記側面部に形成し、前記第１枢軸より基端側に偏位した位置において、ロック板の前記側面部に制止用窪みを形成し、前記第２枢軸よりも基端側に偏位した位置において、前記ロック板に対面する前記掛止めレバーの側面部に制止突起を形成し、
解錠状態において前記受動突子が傾斜配置されて前記受溝に重なり合うように付勢用バネによって前記ロック板を回転付勢し、解錠状態において前記制止突起が前記制止用窪みよりも基端側においてロック板の前記側面部に当接するように前記掛止めレバーを付勢用バネによって回転付勢している（特許文献１参照）。
【０００３】
このスナッチロック装置では、ウィング体が開放状態にあるときには、ロック板の前記受動突子はケースの前記受溝と斜めに重なり合った待機位置にあり、ロック板の前記停止突子はケースの内側面に当接し、掛止めレバーの前記制止突起はロック板の制止用窪みから外れた位置に当接している。
固定フレームに向けてウィング体が閉鎖方向に移動すると、前記受金具がケースの前記受溝に上端開口から進入し、ロック板の前記受動突子の上面に当接した受金具が前記受動突子を下側に押圧することによって、ロック板は前記付勢用バネの付勢に抗して時計回り方向に回転する。掛止めレバーの前記制止突起はロック板の右端部下面に当接する。
【０００４】
ウィング体が全閉状態に来たときには、掛止めレバーの前記制止突起がロック板の前記制止窪みに係合し、受金棒が前記受動突子の内面を経てロック板の前記錠止用凹部に深く係合する。受金具が前記錠止用凹部から脱出するためには、ロック板が反時計回りに回転しなければならないが、ロック板の同方向への回転は、掛止めレバーの前記制止突起とロック板の前記制止用窪みとの係合によって阻止され、ウィング体は固定フレームに対して錠止された状態に保持される。
【０００５】
この錠止を解除してウィング体を開放するには、外部から連動部材を牽引操作して、前記解除レバーを反時計回り方向に回転させ、解除レバーの前記操作カム面によって掛止めレバーの前記受動端部を押圧すればよい。この操作によって掛止めレバーは前記付勢用バネの付勢に抗して反時計回り方向に回転させられ、掛止めレバーの前記制止突起とロック板の制止用窪みとの係合が解除される。この解除動作がなされた瞬間にロック板は前記付勢用バネによって反時計回り方向に回転する。このロック板の回転に伴って前記受金具が前記錠止用凹部の内側面によって押圧され、前記受金具が当該錠止用凹部とケースの前記受溝から弾き出されることになる。
【０００６】
このように従来のスナッチロック装置では、連動部材を牽引して解除レバーを回転させるという単一動作によって、前記受金具とロック板の錠止用凹部との係合が解除されてウィング体が直ちに解錠されるものであり、いわゆる単段開放型に構成されている。
しかしながら、ヨーロッパ共同体が制定した安全基準によれば、トラクターのエンジンフード等のウィング体に適用されるスナッチロック装置においては、単段開放型のものは使用禁止とされ、所要の改良措置を講じることが求められている。
【０００７】
【特許文献１】特許第２７２７３０５号公報
【発明の開示】
【発明が解決しようとする課題】
【０００８】
本発明の課題は、ウィング体が固定フレームに対する錠止を解除されるまでに２段階の過程を踏まなければならないため、安全性が改善されたスナッチロック装置を提供することである。
【課題を解決するための手段】
【０００９】
本発明の二段開放型スナッチロック装置は、ウィング体と固定フレームの一方に固着され、先端面側に開口した受溝を側壁板の先端部分に形成したケースと；前記受溝の一方の側において前記側壁板の先端部分に第１枢軸によって枢着されたロック板と；前記受溝の他方の側において前記側壁版の先端部分に前記第１枢軸と平行な第２枢軸によって枢着された掛止めレバーと；前記第１枢軸と平行な第３枢軸によって前記側壁版の基端部分に枢着されたストッパーカムと；ウィング体と固定フレームの他方に固着され、ウィング体の閉鎖時にケースの前記受溝に進入する受金具とからなる。
【００１０】
前記第１枢軸の横側方位置において、前記掛止めレバーに対面する前記ロック板の側面部に前記受金具が係脱する錠止用凹部を形成し、前記錠止用凹部の基端側辺に連続して受動突子をロック板の前記側面部に形成し、前記第１枢軸よりも基端側に偏位した位置において、前記受動突子の基端側辺に連続してロック板の前記側面部に留止突起を形成し、前記留止突起の基端側辺に連続して、前記ロック板の前記側面部とは反対側にある側面部に抑止突起を形成し、
前記第２枢軸よりも基端側に偏位した位置において、前記ロック板に対面する前記掛止めレバーの側面部に係止突起を形成し、前記係止突起の基端側辺に連続して掛止めレバーの前記側面部に制止突起を形成し、
前記第３枢軸よりも先端側において、前記掛止めレバーに対面する前記ストッパーカムの側面部に受止突起を形成し、前記受止突起よりも基端側に偏位した位置において、カム突起をストッパーカムの前記側面部に形成してある。
【００１１】
解錠状態において前記受動突子が傾斜配置されて前記受溝に重なり合うとともに、前記留止突起が前記係止突起よりも先端側において掛止めレバーの前記側面部に当接するように第１バネによって前記ロック板を回転付勢し、
解錠状態において前記停止突起が前記ストッパーカムの前記カム突起の基端側辺に当接するように前記掛止めレバーを第２バネによって回転付勢し、
解錠状態において前記カム突起の基端側辺が前記掛止めレバーの前記停止突起に当接するように前記ストッパーカムを第３バネによって回転付勢してある。
【００１２】
施錠状態において、前記受金具が前記ケースの前記受溝内において前記ロック板の前記錠止用凹部に係合しているとともに、前記ロック板の前記受動突子が前記掛止めレバーの前記係止突起と前記制止突起間の谷部に係合し、前記掛止めレバーの前記停止突起が前記ストッパーカムの前記カム突起の基端側辺に当接し、
前記掛止めレバーを最初に前記第２枢軸の周りに前記ストッパーカムから離反する方向に回して原位置に戻したとき（１回目の掛止めレバー操作終了時）、前記受金具が前記ロック板の前記錠止用凹部に係合した状態で前記ケースの前記受溝内を先端開口に向けて移動しているとともに、前記ロック板の前記留止突起が前記掛止めレバーの前記係止突起と前記制止突起間の錠止溝に係合し、前記掛止めレバーの前記停止突起が前記ストッパーカムの前記カム突起の基端側辺に当接し、
前記掛止めレバーを次に前記第２枢軸の周りに前記ストッパーカムから離反する方向に回して原位置に戻したとき（２回目の掛止めレバー操作終了時）、前記受金具が前記ロック板の前記受動突子の先端側辺に押されて、前記ロック板の前記錠止用凹部及び前記ケースの前記受溝から脱出しているとともに、前記ロック板の前記留止突起が前記係止突起よりも先端側に偏位した位置において前記掛止めレバーの前記側面部に当接し、前記掛止めレバーの前記停止突起が前記ストッパーカムの前記カム突起の基端側辺に当接するように配置してある。
【発明の効果】
【００１３】
本発明の二段開放型スナッチロック装置では、上記の通り掛止めレバーを二回に分けて回転操作することによって、前記ロック板及び前記ストッパーカムが各バネ付勢に抗して相対的に所要角度回転し、２回目の操作終了時点で初めて前記受金具が前記ロック板の前記錠止用凹部から脱出するものであり、掛止めレバーを単に一度回しただけでは全解錠過程が完結し得ないため、他の物品や人体が偶発的に接触したことに起因してウィング体が解錠開放される危険性が排除される。
【実施例】
【００１４】
図１から図４は本発明の一実施例を示したものであり、ケース１は例えばトラクターのエンジン収納部を構成する固定フレーム２に固着され、Ｕ字型に屈曲加工した受金具３は、前記エンジン収納部を被覆するフードたるウィング体４に固着されている。ケース１の前後一対の側壁板５の中間部にはバネ支持板部６が設けられ、ケース１の下壁板部７は固定フレーム２に固着される。
各側壁板５の先端部分に設けた縦長の受溝８は側壁板５の中央位置に形成され、ウィング体４の開閉動作に対応して受金具３が受溝８に出入りする。ロック板９の第１枢軸１０、掛止めレバー１１の第２枢軸１２及びストッパーカム１３の第３枢軸１４は、前後の側壁板５，５間に水平方向に嵌挿され、第１枢軸１０と第２枢軸１２は同じ高さ位置にある。図１に示したようにケース１の受溝８は第１枢軸１０のほぼ真横位置にあり、第１枢軸１０は受溝８の右側にあり、第２枢軸１２は受溝８の左側にある。
第１枢軸１０はロック板９のほぼ中央部分を貫通しており、錠止用凹部１５は掛止めレバー１１に対面する側の側辺部（図１では左側面部）にあり、第１枢軸１０に向かって入り込むように形成されている。
【００１５】
施錠状態においては、受溝８の深部に進入した受金具３は、錠止用凹部１５の先端側辺１５ａに当接している。第１バネ１６は捻りコイルバネによって構成され、そのコイル部１６ａは第１枢軸１０に嵌合支持され、直線状に延在する中間連結部１６ｂがロック板９の右側端部のバネ受部１７に掛けられ、直線状端部１６ｃが前記バネ支持板部６に当接支持され、ロック板９を図１において時計回り方向に回転付勢している。ロック板９の左側面部には、錠止用凹部１５の基端側辺に連続して受動突子１８が形成され、受動突子１８の基端側辺に連続して留止突起１９が形成されており、留止突起１９は第１枢軸１０よりも基端側に偏位した位置にある。留止突起１９の基端側辺に連続して形成される抑止突起２０は、錠止用凹部１５、受動突子１８及び留止突起１９を形成した側面部とは反対側、すなわち右側面部に斜め下向きに形成されている。
【００１６】
縦長状の掛止めレバー１１の右側面部には、第２枢軸１２よりも基端側に偏位した位置に係止突起２１が形成され、係止突起２１の基端側辺に連続して制止突起２２が形成されている。掛止めレバー１１の右側面部にはバネ支持板部６と干渉しないように逃げ溝部２３が形成されている。この逃げ溝部２３の基端側辺に連続して形成された停止突起２４は、係止突起２１及び制止突起２２よりも右側に大きく突出している。
掛止めレバー１１の基端部には、解錠または施錠に際して掛止めレバー１１を回転操作するための駆動部材（ワイヤー、ロッド等）が装着される連結孔２５が形成されている。
第３枢軸１４によって基端部をケース１の側壁板５に枢着されたカムストッパー１３の左側面部には、受止突起２６が先端角部に形成され、受止突起２６よりも基端側に偏位した位置に三角形状のカム突起２７が形成されている。
【００１７】
ロック板９の受動突子１８は、図３に示したように解錠状態において傾斜配置され、ケース１の前記受溝８の深部に重なり合う。ロック板９の留止突起１９は掛止めレバー１１の係止突起２１よりも先端側において、掛止めレバー１１の右側面部に当接する。
第２バネ２８は捻りコイルバネによって構成され、そのコイル部２８ａは第２枢軸１２に嵌合支持され、直線状に延在する中間連結部２８ｂが掛止めレバー１１の左側端部のバネ受部２９に掛けられ、直線状端部２８ｃが前記バネ支持板部６に当接支持され、掛止めレバー１１を図１において反時計回り方向に回転付勢している。解錠状態において掛止めレバー１１の停止突起２４は、ストッパーカム１３のカム突起２７の基端側辺に当接する。
第３バネ３０は捻りコイルバネによって構成され、そのコイル部３０は第３枢軸１４に嵌合支持され、直線状に延在する中間連結部３０ｂがストッパーカム１３の右側面部に掛けられ、直線状端部３０ｃがケース１の下壁板部７に当接支持され、ストッパーカム１３を図１において反時計回り方向に回転付勢している。
【００１８】
施錠状態から解錠状態に至る作動過程について図２を用いて説明すると、図２の（ａ）の初期状態においては、受金具３がケース１の受溝８内においてロック板９の錠止用凹部に係合１５しているとともに、ロック板９の受動突子１８が掛止めレバー１１の係止突起２１と制止突起２２間の谷部に係合し、掛止めレバー１１の停止突起２４がストッパーカム１３のカム突起２７の基端側辺に当接している。
図２の（ｂ）に示したように連結孔２５に接続した駆動部材を介して、掛止め部材１１を第２枢軸１２の周りに第２バネ２８の付勢に抗して時計回り方向に一定字角度だけ回転操作すると、掛止めレバー１１の係止突起２１と制止突起２２間の谷部と、ロック板９の受動突子１８との係合が次第に浅くになり、ロック板９の受動突子１８は最後に係止突起２１の基端側辺と当接する。掛止めレバー１１の停止突起２４が左側に移動することによって、ストッパーカム１３は第３バネ３０の付勢によって第３枢軸１４の周りに時計回り方向に回転し、ストッパーカム１３が若干立ち上がる。
【００１９】
掛止めレバー１１の１回目の回転操作が終点に到達すると、図２の（ｃ）に示したように掛止めレバー１１の制止突起２２がケース１のバネ支持板部６に当接し、掛止めレバー１１の停止突起２４はストッパーカム１３のカム突起２７から完全に離れる。掛止めレバー１１の係止突起２１がロック板９の受動突子１８から離れたため、ロック板９は第１バネ１６の付勢によって第１枢軸１０の周りに時計回り方向に一定角度回転し、この回転終端においてロック板９の抑止突起２０がストッパーカム１３の受止突起２６の先端側辺に係合する。受金具３はケース１の受溝８の入口部付近まで弾き移動させられている。
【００２０】
前記駆動部材を介しての掛止めレバー１１の回転力の付与を中止して掛止めレバー１１を解放すると、図２の（ｄ）に示したように掛止めレバー１１は第２バネ２８の付勢によって第２枢軸１２の周りに反時計回り方向に回転し、掛止めレバー１１の停止突起２４はストッパーカム１３のカム突起２７を押す。そのため、ストッパーカム１３は第３枢軸１４の周りに第３バネ３０の付勢に抗して時計回り方向に一定角度回転させられる。この回転によって、ストッパーカム１３の受止突起２６とロック板９の抑止突起２０との係合は次第に浅くなるが、ロック板９は図２の（ｃ）と同じ回転姿勢に抑止されている。第２バネ２８の弾性反発力は、第３バネ３０の弾性反発力よりも強く設定されている。
【００２１】
掛止めレバー１１の１回目の回転操作が完全に終了し、図２の（ｅ）に示したように掛止めレバー１１が第２バネ２８の付勢によって原位置に戻されたときには（１回目の掛止めレバー操作終了時）、受金具３がロック板９の錠止用凹部１５に係合した状態でケース１の受溝８の先端開口付近に移動しており、ストッパーカム１３の受止突起２６はロック板９の抑止突起２０から完全に離れている。ロック板９の留止突起１９が掛止めレバー１１の係止突起２１と制止突起２２間の谷部に係合することによって、ロック板９は錠止用凹部１５の入口部に受金具３をくわえ込んだ姿勢に保持されている。
【００２２】
前記駆動部材を介して掛止めレバー１１を第２バネ２８の付勢に抗して第２枢軸１２の周りに再度時計回り方向に回転操作すると、図２の（ｆ）に示したように掛止めレバー１１の係止突起２１と制止突起２２間の谷部と、ロック板９の留止突起１９との係合が次第に浅くになり、留止突起１９は最後には係止突起２１の基端側辺と当接する。掛止めレバー１１の停止突起２４がストッパーカム１３のカム突起２７から離れるため、ストッパーカム１３が第３バネ３０の付勢によって第３枢軸１４の周りに反時計回り方向に回転し、ストッパーカム１３の受止突起２６の基端側辺がロック板９の抑止突起２０に係合する。
【００２３】
掛止めレバー１１の２回目の回転操作が終点に到達すると、図２の（ｇ）に示したように掛止めレバー１１の制止突起２２がケース１のバネ支持板部６に当接し、ストッパーカム１３が反時計回りに更に回転して、ストッパーカム１３の受止突起２６の基端側辺とロック板９の抑止突起２０が更に係合する。ロック板９の留止突起１９は、係止突起２１より先端側に偏位した位置において掛止めレバー１１の右側面部に当接しており、ロックカム９の抑止突起２０はケース１のバネ支持板部６の右橋に係合している。ロック板９の受動突子１８に押された受金具３は、ロック板９の錠止用凹部１５及びケースの受溝８から押し出されている。すなわち、固定フレーム２に対するウィング体４の錠止は解除されている。
【００２４】
掛止めレバー１１の２回目の回転操作が完全に終了し、掛止めレバー１１が第２バネ２８の付勢によって原位置に戻されたときには（２回目の掛止めレバー操作終了時）、掛止めレバー１１の停止突起２４によってストッパーカム１３のカム突起２７が押されるため、図２の（ｈ）に示したようにストッパーカム１３は第３枢軸１４の周りに第３バネ３０の付勢に抗して時計回り方向に回転させられ、ストッパーカム１３の受止突起２６がロック板９の抑止突起２０から完全に離れる。ロック板９の留止突起１９は係止突起２１より先端側に偏位した位置において掛止めレバー１１の右側面部に当接しており、ロックカム９の抑止突起２０はケース１のバネ支持板部６の右橋に係合している。
【００２５】
図３に示した解錠状態から施錠状態に移行する過程について図４を用いて説明する。ウィング４の閉鎖動作の終端域において図４の（ａ）に示したように受金具３がロック板９の受動突子１８に当たると、ロック板９が第１枢軸１０の周りに第１バネ１６の付勢に抗して反時計回り方向に回転させられる。この回転動作の途中でロック板９の留止突起１９によって掛止めレバー１１の係止突起２１の先端側辺が押されるため、掛止めレバー１１は第２枢軸１２の周りに第２バネ２８の付勢に抗して時計回り方向に回転させられ、図４の（ｂ）に示したようにロック板９と掛止めレバー１１との当接部は、留止突起１９から受動突子１８に変わる。
【００２６】
この掛止めレバー１１の回転によって掛止めレバー１１の停止突起２４がストッパーカム１３のカム突起２７から離れるため、ストッパーカム１３は第３枢軸１４の周りに第３バネ３０の付勢によって反時計回りに回転し、ストッパーカム１３の受止突起２６がロック板９の抑止突起２０に係合する。
ウィング体４の閉鎖動作が更に続行されると、図４の（ｃ）に示したように受金具３はロック板９の錠止用凹部１５に捕捉された状態でケース１の受溝８に入り込み、掛止めレバー１１の係止突起２１と制止突起２２間の谷部にロック板９の留止突起１９が係合し、また、ロック板９の受動突子１８と留止突起１９間の谷部に掛止めレバー１１の係止突起２１が係合し、一段目のロックが成立する。この段階では、掛止めレバー１１は第２バネ２８の付勢によって反時計回りに回転しており、掛止めレバー１１の停止突起２４によってカム突起２７を押されたストッパーカム１３は、第３バネ３０の付勢に抗して時計回り方向に回転させられている。
【００２７】
ウィング体４の閉鎖動作が更に続行されて、受金具３の断面の一部が第１枢軸１０と第２枢軸１２を結ぶ直線を基端側に越えると、図４の（ｄ）、図４の（ｅ）に示したようにロック板９の受動突子１８によって掛止めレバー１１の係止突起２１の先端側辺が押されるため、掛止めレバー１１は第２枢軸１２の周りに第２バネ２８の付勢に抗して時計回り方向に回転させられる。
図４の（ｆ）に示したように受金具３の断面の大部分が第１枢軸１０と第２枢軸１２を結ぶ直線を基端側に越えると、ロック板９の受動突子１８が掛止めレバー１１の係止突起２１と制止突起２２間の谷部と係合することになり、受金具３は受溝８とロック板９の錠止用凹部１５に深く係合して、二段目ロックが成立する。
【００２８】
例えば固定フレーム２とウィング体４間に介在させたパッキング部材（図示していない）がウィング体４によって圧縮されたときには、図４の（ｇ）に示したように当該パッキング部材の圧縮量だけ受金具３がオーバーランし、ロック板９が第１バネ１６の付勢に抗して第１枢軸１０の周りに反時計周りに回転させられるが、ロック板９の受動突子１８は掛止めレバー１１の係止突起２１と制止突起２２間の谷部から離脱することはない。パッキング部材の弾性反発力によってウィング体４が若干戻されたときには、図４の（ｆ）に示した状態に戻ることになる。
【図面の簡単な説明】
【００２９】
【図１】本発明の一実施例に係る二段開放型スナッチロック装置が施錠状態にあるときの正面図である。
【図２】図１のスナッチロック装置において、掛止めレバーを２回に分けて回転操作することによって解錠するまでの過程を示す説明図であり、（ａ）はウィング体が固定フレームに対して施錠されている初期状態を示し、（ｂ）は掛止めレバーの１回目の回転操作を開始したときの状態を示し、（ｃ）は１回目の回転操作が終点に到達したときの状態を示し、（ｄ）は掛止めレバーを解放した状態を示し、（ｅ）は１回目の回転操作を終了した状態を示し、（ｆ）は掛止めレバーの２回目の回転操作を開始したときの状態を示し、（ｇ）は２回目の回転操作が終点に到達したときの状態を示し、（ｈ）は２回目の回転操作を終了した状態を示している。
【図３】図１のスナッチロック装置が解錠状態にあるときの正面図である。
【図４】図１のスナッチロック装置において、ウィング体の閉鎖動作により施錠が２段階で成立するまでの過程を示す説明図であり、（ａ）は受金具がロック板の受動突子に当った状態を示し、（ｂ）は受金具に押されてロック板が回転し、それに付随して掛止めレバーとストッパーカムが所定角度回転したときの状態を示し、（ｃ）は１段目のロックが成立したときの状態を示し、（ｄ）と（ｅ）はウィング体の閉鎖動作が更に進行して行くときの状態を示し、（ｆ）は２段目のロックが成立したときの状態を示し、（ｇ）はウィング体がパッキング部材を圧縮することによって受金具がオーバーランしたときの状態を示している。
【符号の説明】
【００３０】
１    ケース
２    固定フレーム
３    受金具
４    ウィング体
５    ケースの側壁板
６    ケースのバネ支持板部
７    ケースの下壁板
８    ケースの受溝
９    ロック板
１０  第１枢軸
１１  掛止めレバー
１２  第２枢軸
１３  ストッパーカム
１４  第３枢軸
１５  ロック板の錠止用凹部
１６  第１バネ
１７  バネ受部
１８  ロック板の受動突子
１９  ロック板の留止突起
２０  ロック板の抑止突起
２１  掛止めレバーの係止突起
２２  掛止めレバーの制止突起
２３  掛止めレバーの逃げ溝部
２４  掛止めレバーの停止突起
２５  掛止めレバーの駆動部材の連結孔
２６  ストッパーカムの受止突起
２７  ストッパーカムのカム突起
２８  第２バネ
２９  バネ受部
３０  第３バネ
【図１】
2006090075.tif 000003
【図２】
2006090075.tif 000004
【図３】
2006090075.tif 000005
【図４】
2006090075.tif 000006